(57)【特許請求の範囲】
【請求項１】
コンクリート製支柱の中心に上下方向に開けた貫通孔の下端から、地面に打ち込んだ杭を挿入して、コンクリート製支柱を立て、
前記貫通孔の上端に挿入したポールに、縦横に走る支持パイプの少なくとも片方を連結し、
リングとその中央の縦管との間を放射方向の連結バーで連結してあり、前記縦管に上向きに前記ポールを挿入して、前記コンクリート製支柱に栽培棚を支持してなることを特徴とする蔓性植物の栽培棚の支持構造。
【請求項２】
前記のコンクリート製支柱は、生コンクリートが硬化する前に表面を引っ掻いて、蔓性植物の根や根毛が食い込み易いように粗面化されていることを特徴とする請求項１に記載の蔓性植物の栽培棚の支持構造。
【請求項３】
コンクリート製支柱の中心を上下方向に貫通する貫通孔が開いており、下端の孔に、地面に打ち込んだ杭を挿入して、コンクリート製支柱を立て、
その上端の孔に挿入したポールに、縦横に走る支持パイプの少なくとも片方を連結すると共に、
リングとその中央の縦管との間を放射方向の連結バーで連結してあり、前記縦管に上向きに前記ポールを挿入して、前記コンクリート製支柱に支持してなる蔓性植物の栽培棚において、
前記コンクリート製支柱の根元付近に植えた蔓性植物をコンクリート製支柱に沿ってリング状棚の内側まで成長させ、次いでリングの内側から上を越えて外側へ導き出し、成長させることを特徴とする蔓性植物の栽培方法。
【請求項４】
コンクリート製支柱の中心を上下方向に貫通する貫通孔が開いており、下端の孔に、地面に打ち込んだ杭を挿入して、コンクリート製支柱を立て、
その上端の孔に挿入したポールに、縦横に走る支持パイプの少なくとも片方を連結すると共に、
リングとその中央の縦管との間を放射方向の連結バーで連結してあり、前記縦管に上向きに前記ポールを挿入して、前記コンクリート製支柱に支持してなる蔓性植物の栽培棚において、
前記コンクリート製支柱の内部の貫通孔中に、肥料を入れておくと共に、前記貫通孔の内部にも灌水することを特徴とする蔓性植物の栽培方法。
【発明の詳細な説明】
【０００１】
【産業上の利用分野】
本発明は、苦瓜やヘチマ、キュウリなどのような蔓性植物、特にドラゴンフルーツなどのような大型で大重量の蔓性植物を栽培する栽培棚と栽培方法に関する。
【０００２】
【従来の技術】
従来から、実開昭６１−２５７６２号公報、実開平２−１２３８５９号公報などに記載のように、ワイヤーを縦横に張ることで、蔓性植物の栽培棚とすることが開示されている。
【０００３】
【発明が解決しようとする課題】
しかしながら、栽培棚に作用する負荷が比較的均一でかつ小さい場合はこのような構造でも支障ないが、例えばドラゴンフルーツなどのように茎部などの荷重が大きかったり、茎部の本数が多い場合は、支持不能ないし困難となる。
【０００４】
本発明の技術的課題は、このような問題に着目し、荷重が集中するような蔓性植物の場合であっても確実に支持可能な堅牢な構造の栽培棚を実現することにある。また、このような棚を効果的に利用して収量を増加可能な栽培方法を実現する。
【０００５】
【課題を解決するための手段】
本発明の技術的課題は次のような手段によって解決される。請求項１は、コンクリート製支柱の中心に上下方向に開けた貫通孔の下端から、地面に打ち込んだ杭を挿入して、コンクリート製支柱を立て、
前記貫通孔の上端に挿入したポールに、縦横に走る支持パイプの少なくとも片方を連結し、
リングとその中央の縦管との間を放射方向の連結バーで連結してあり、前記縦管に上向きに前記ポールを挿入して、前記コンクリート製支柱に栽培棚を支持してなる蔓性植物の栽培棚の支持構造である。
【０００６】
このように、コンクリート製支柱の中心を上下方向に貫通する貫通孔が開いており、下端の孔に、地面に打ち込んだ杭を挿入して、コンクリート製支柱を立てるような構造になっているので、コンクリート製支柱を地面に簡単確実に立てることができる。そして、上端の孔に挿入したポールを利用して栽培棚を支持してあるため、蔓性植物の栽培棚を容易に組み立てることができる。
【０００７】
また、前記のコンクリート製支柱の上端の孔に挿入したポールに、縦横に走る支持パイプの少なくとも片方を連結する構造になっているので、コンクリート製支柱の上端が、縦横に走る支持パイプによって、前後左右から支持されることになり、各コンクリート製支柱が傾いたり、転倒したりしないように支持でき、安定性が確保される。
【０００８】
さらに、リングとその中央の縦管との間を放射方向の連結バーで連結してあり、前記ポールを前記縦管に挿入して、前記コンクリート製支柱に支持する構造なため、リング状支持棚を容易にコンクリート製支柱の上に搭載支持でき、かつコンクリート製支柱に支持されて延びてきた蔓性植物をリングの内側から上を経て、外部に垂れ下がらすことができる。
しかも、ドラゴンフルーツなどのように重量の大きい蔓性植物であっても、リング状支持棚の上に支持でき、かつリングの内側から外側に均一にかつほぼ放射状に分散させて、大量の実を着けさせることができる。
【０００９】
請求項２は、前記のコンクリート製支柱は、生コンクリートが硬化する前に表面を引っ掻いて、蔓性植物の根や根毛が食い込み易いように粗面化されていることを特徴とする請求項１に記載の蔓性植物の栽培棚の支持構造である。
このように、前記のコンクリート製支柱は、生コンクリートが硬化する前に、釘やワイヤーブラシなどで表面を引っ掻いて、粗面化しておくのがよい。蔓性植物の根や根毛が食い込み易いようにするためであり、表面がツルツルになっていると、根や根毛が食い込みにくい。また、保水性を良くする上でも、粗面の方がよい。
【００１０】
請求項３は、コンクリート製支柱の中心を上下方向に貫通する貫通孔が開いており、下端の孔に、地面に打ち込んだ杭を挿入して、コンクリート製支柱を立て、
その上端の孔に挿入したポールに、縦横に走る支持パイプの少なくとも片方を連結すると共に、
リングとその中央の縦管との間を放射方向の連結バーで連結してあり、前記縦管に上向きに前記ポールを挿入して、前記コンクリート製支柱に支持してなる蔓性植物の栽培棚において、
前記コンクリート製支柱の根元付近に植えた蔓性植物をコンクリート製支柱に沿ってリング状棚の内側まで成長させ、次いでリングの内側から上を越えて外側へ導き出し、成長させることを特徴とする蔓性植物の栽培方法である。
【００１１】
このように、コンクリート製支柱の中心を上下方向に貫通する貫通孔が開いており、下端の孔に、地面に打ち込んだ杭を挿入して、コンクリート製支柱を立て、
その上端の孔に挿入したポールに、縦横に走る支持パイプの少なくとも片方を連結すると共に、
リングとその中央の縦管との間を放射方向の連結バーで連結してあり、前記縦管に上向きに前記ポールを挿入して、リング状棚を前記コンクリート製支柱の上端に搭載支持してなる蔓性植物の栽培棚において、
コンクリート製支柱の根元付近に植えた蔓性植物をコンクリート製支柱に沿ってリング状棚の内側まで成長させ、次いでリングの内側から上を越えて外側へ導き出し、成長させる方法によると、ドラゴンフルーツのように茎が２０〜３０本にも分岐し増えるような重量の大きい蔓性植物であっても、確実に支持し、かつ大量に結実させて、収量を上げることができる。
【００１２】
請求項４は、コンクリート製支柱の中心を上下方向に貫通する貫通孔が開いており、下端の孔に、地面に打ち込んだ杭を挿入して、コンクリート製支柱を立て、
その上端の孔に挿入したポールに、縦横に走る支持パイプの少なくとも片方を連結すると共に、
リングとその中央の縦管との間を放射方向の連結バーで連結してあり、前記縦管に上向きに前記ポールを挿入して、前記コンクリート製支柱に支持してなる蔓性植物の栽培棚において、
前記コンクリート製支柱の内部の貫通孔中に、肥料を入れておくと共に、前記貫通孔の内部にも灌水することを特徴とする蔓性植物の栽培方法である。
【００１３】
このように、コンクリート製支柱の内部の貫通孔中に、肥料を入れておくと共に、前記貫通孔の内部にも灌水することにより、蔓性植物の地中の部分にも徐々に灌水でき、外部からの灌水と相まって、円滑かつ一定の灌水が確保される。また、コンクリート製支柱の貫通孔中に肥料を入れておくと、雨や灌水で肥料が流されるといった無駄が解消される。
【００１４】
【発明の実施の形態】
次に本発明による蔓性植物の栽培棚並びに栽培方法が実際上どのように具体化されるか実施形態を説明する。図１は本発明による蔓性植物の栽培棚の全容を示す斜視図であり、土壌表面にコンクリート製支柱１が立っており、その上端中心の孔に挿入されたポールｐに、縦に走る支持パイプ２を連結してある。そして、このパイプ２に横パイプ３を交差させて互いに連結してある。
【００１５】
また、リング４とその中央の縦管５との間を放射方向の連結バー６…で連結してリング状棚を形成し、前記縦管５中に前記ポールｐを挿入して、コンクリート製支柱１上に搭載支持してある。
【００１６】
次に各部材の詳細を説明する。図２はコンクリート製支柱１の斜視図であり、外形がほぼ四角柱状をしており、その中心に上下方向の貫通孔７が開いている。製造方法は、Ｕ字溝状ないし四角溝状の型枠の中心にパイプを配置し、前記の型枠の中に生コンクリートを充填してから、中心のパイプを抜き取った状態で養生する。そして、型枠から離型する。
【００１７】
このコンクリート製支柱１は、生コンクリートが硬化する前に、釘やワイヤーブラシなどで表面を引っ掻いて、粗面化しておくのがよい。蔓性植物の根や根毛が食い込み易いようにするためであり、表面がツルツルになっていると、根や根毛が食い込みにくい。また、保水性を良くする上でも、粗面の方がよい。
【００１８】
図３のように、コンクリート製支柱１を立てる場所には、予め金属パイプからなる杭８を打ち込んである。次に、図４のように、この杭８を利用してコンクリート製支柱１を立てる。すなわち、コンクリート製支柱１を立て、その前記貫通孔７の下端から杭８を挿入する。図４は挿入途中であり、図１のように、コンクリート製支柱１の下端が土壌表面に接するまで挿入する。
【００１９】
そして、図５のように、立っている状態のコンクリート製支柱１の貫通孔７の上端にポールｐを挿入する。このポールｐには、横からビス９を固定してあるので、このビス９がストッパーとなって、ポールｐが貫通孔７中に落下不能となる。
【００２０】
次いで、図６のように、このポールｐを利用して、図８の縦に走る支持パイプ２を連結金具１０で固定する。この場合、縦横に走る支持パイプ２、３の交差点を固定してもよいが、通常はいずれか片方、すなわち縦パイプ２のみ、または横パイプ３のみをポールｐに固定する方が簡便である。
【００２１】
図７は、リング状支持棚であり、金属パイプなどからなるリング４の中央に縦管５を有しており、この縦管５から放射状に延びた連結バー６…が前記リング４に連結固定されている。すなわち、丸十状になっている。なお、連結板１１の中央孔に前記の縦管５が挿通固定されており、この連結板１１に放射状の連結バー６、６の内端が連結固定されている。
【００２２】
図６のように、コンクリート製支柱１に搭載するには、リング状支持棚の中央の縦管５中にコンクリート製支柱１上端のポールｐを下から挿通する。こうして、リング状支持棚をコンクリート製支柱１の上端に搭載支持する。このようなリング状支持棚が、図８のように一定間隔に縦横に配置される。
【００２３】
次に、図８のように、縦横に走るパイプ２、３の交差点１２で、連結金具を用いて互いに連結固定すると、各コンクリート製支柱１の上端が前後左右から支持されることになり、各コンクリート製支柱１が倒れたり、傾いたりするのを防止できる。以上で蔓性植物の栽培棚の組み立てが完了である。
【００２４】
次に、この栽培棚を利用して蔓性植物を栽培する方法を説明する。まず、図１のように、コンクリート製支柱１の下端付近の土壌に、例えばドラゴンフルーツ１３を植える。そして、ドラゴンフルーツ１３が成長するにつれて延びてきた茎１４を、コンクリート製支柱１に紐１５などで縛りつける。すると、各茎１４から延びてきた根や根毛がコンクリート製支柱１に食い込んで来て、密着支持される。
【００２５】
こうして、コンクリート製支柱１の上端まで延びると、リング状支持棚のリング４の内側からリング４の上を通って、リング４の外側に導き出す。その結果、ドラゴンフルーツの各茎の先端１６は、リング４の上から外側に垂れ下がり、先端で花が咲き、実をつける。
【００２６】
コンクリート製支柱１の根元の土壌に４〜５本のドラゴンフルーツを植えると、側枝が出て来て、リング状棚の付近では２０〜３０本に増え、先端に花を咲かせ、結実する。したがって、２０〜３０本の茎や側枝がリング４の内側から外側に放射状に拡がり、全ての荷重がリング４に支持される。
【００２７】
ドラゴンフルーツの茎は、前記のようにコンクリート製支柱１に縛り付けるが、灌水に際して、コンクリート製支柱１に充分な水を供給すると、コンクリート製支柱１に吸水され、保水されるので、またコンクリート製支柱１の表面が粗面化されているので、ドラゴンフルーツの根や根毛が円滑に食い込み、コンクリート製支柱１に密着し支持される。
【００２８】
また、前記コンクリート製支柱１の内部の貫通孔７中に、肥料を入れておくと共に、前記貫通孔７の内部にも灌水すると、ドラゴンフルーツが植えられている土壌中の根にも徐々に灌水や施肥されることになり、頻繁に灌水しなくても済む。
【００２９】
【発明の効果】
請求項１のように、コンクリート製支柱の中心を上下方向に貫通する貫通孔が開いており、下端の孔に、地面に打ち込んだ杭を挿入して、コンクリート製支柱を立てるような構造になっているので、コンクリート製支柱を地面に簡単確実に立てることができる。そして、上端の孔に挿入したポールを利用して栽培棚を支持してあるため、蔓性植物の栽培棚を容易に組み立てることができる。
また、前記のコンクリート製支柱の上端の孔に挿入したポールに、縦横に走る支持パイプの少なくとも片方を連結する構造になっているので、コンクリート製支柱の上端が、縦横に走る支持パイプによって、前後左右から支持されることになり、各コンクリート製支柱が傾いたり、転倒したりしないように支持でき、安定性が確保される。
【００３０】
さらに、リングとその中央の縦管との間を放射方向の連結バーで連結してあり、前記ポールを前記縦管に挿入して、前記コンクリート製支柱に支持する構造なため、リング状支持棚を容易にコンクリート製支柱の上に搭載支持でき、しかもコンクリート製支柱に支持され、延びてきた蔓性植物をリングの内側から上を経て、外部に垂れ下がらすことができる。
しかも、ドラゴンフルーツなどのように重量の大きい蔓性植物であっても、リング状支持棚の上に支持でき、かつリングの内側から外側に均一にかつほぼ放射状に分散させて、大量の実を着けさせることができる。
【００３１】
請求項２のように、前記のコンクリート製支柱は、生コンクリートが硬化する前に、釘やワイヤーブラシなどで表面を引っ掻いて、粗面化しておくのがよい。蔓性植物の根や根毛が食い込み易いようにするためであり、表面がツルツルになっていると、根や根毛が食い込みにくい。また、保水性を良くする上でも、粗面の方がよい。
【００３２】
請求項３のように、コンクリート製支柱の中心を上下方向に貫通する貫通孔が開いており、下端の孔に、地面に打ち込んだ杭を挿入して、コンクリート製支柱を立て、
その上端の孔に挿入したポールに、縦横に走る支持パイプの少なくとも片方を連結すると共に、  リングとその中央の縦管との間を放射方向の連結バーで連結してあり、前記縦管に上向きに前記ポールを挿入して、リング状棚を前記コンクリート製支柱の上端に搭載支持してなる蔓性植物の栽培棚において、
コンクリート製支柱の根元付近に植えた蔓性植物をコンクリート製支柱に沿ってリング状棚の内側まで成長させ、次いでリングの内側から上を越えて外側へ導き出し、成長させる方法によると、ドラゴンフルーツのように茎が２０〜３０本にも分岐し増えるような重量の大きい蔓性植物であっても、確実に支持し、かつ大量に結実させて、収量を上げることができる。
【００３３】
請求項４のように、コンクリート製支柱の内部の貫通孔中に、肥料を入れておくと共に、前記貫通孔の内部にも灌水することにより、ドラゴンフルーツが植えられている土壌中の根にも徐々に灌水や施肥されることになり、頻繁に灌水しなくても済む。また、コンクリート製支柱の貫通孔中に肥料を入れておくと、雨や灌水で肥料が流されるといった無駄が解消される。
【図面の簡単な説明】
【図１】本発明による蔓性植物の栽培棚の全容を示す斜視図である。
【図２】コンクリート製支柱の斜視図である。
【図３】土壌に杭を打ち込んだ状態の斜視図である。
【図４】図３の杭を利用してコンクリート製支柱を立てている状態の斜視図である。
【図５】コンクリート製支柱の貫通孔の上端にポールを挿入した状態の斜視図である。
【図６】ポールを利用して、縦横の支持パイプを固定した状態の斜視図である。
【図７】リング状支持棚の平面図である。
【図８】栽培棚全体の平面図である。
【符号の説明】
１  コンクリート製支柱
ｐ  ポール
２  縦に走る支持パイプ
３  横に走る支持パイプ
４  リング
５  縦管
６  連結バー
７  貫通孔
８  杭
９  ビス
１０  連結金具
１１  連結板
１２  縦横のパイプの交差点
１３  ドラゴンフルーツ
１５  紐
【図１】
0004399093.tif 000002
【図２】
0004399093.tif 000003
【図３】
0004399093.tif 000004
【図４】
0004399093.tif 000005
【図５】
0004399093.tif 000006
【図６】
0004399093.tif 000007
【図７】
0004399093.tif 000008
【図８】
0004399093.tif 000009